(57)【要約】【課題】複写機等において、原稿押圧板を上にあげて開く際に、発生する負圧発生による真空吸着作用によって原稿舞上りが発生しても、自然落下した原稿が読取装置の外へ落下することを防止可能な原稿読取装置を提供する。【解決手段】原稿載置板１８、原稿押圧板１９、及び、アクチュエータ２２を備えた原稿上部ユニット開閉検知機構により、原稿読取装置１００を構成する。この原稿読取装置１００では、上記のアクチュエータ２２は、原稿押圧板１９が開状態であると、先端が、原稿載置板１８の上面位置よりも上に突出しており、原稿押圧板１９が閉状態となると、原稿押圧板１９の下面が前記先端に当接して後退すると共に、ヒンジ２１、原稿載置板１８の奥側の辺、及び、原稿押圧板１９の奥側の辺で囲まれたヒンジ間空隙２８が形成される。このヒンジ間空隙２８の近傍に、アクチュエータ２２を配設する。【選択図】図３
2008176058.tif 000002
【特許請求の範囲】
【請求項１】
紙片状の原稿の読取面が上面に接面するように、前記原稿が載置される透明な原稿載置板と、
該原稿載置板に対して開閉可能で、該原稿載置板に対して閉じることにより、該原稿載置板上に載置された原稿を背面から押圧して、該原稿載置板の前記上面との間に前記原稿を挟持する原稿押圧板と、
アクチュエータを備えると共に、該アクチュエータを用いて、前記原稿押圧板の前記原稿載置板に対する開閉状態を検知する原稿押圧板開閉検知手段と、を少なくとも備えており、
前記原稿載置板の奥側の辺と、前記原稿押圧板の奥側の辺との間に、前記原稿押圧板の開閉の際に回動軸となる複数のヒンジが、相互に離間して設けられ、
前記原稿押圧板開閉検知手段の前記アクチュエータは、前記原稿押圧板が開状態であると、先端が、前記原稿載置板の上面位置よりも上に突出しており、前記原稿押圧板が閉状態となると、前記原稿押圧板の下面が前記先端に当接して後退し、
前記ヒンジ、前記原稿載置板の奥側の辺、及び、前記原稿押圧板の奥側の辺で囲まれて、ヒンジ間空隙が形成されると共に、該ヒンジ間空隙は、該ヒンジ間空隙を、前記原稿の前記原稿載置板上における奥側の辺が先頭を切るようにして、前記原稿が手前側から奥に向かって通過可能であるのに十分な大きさである、原稿読取装置であって、
前記アクチュエータは、前記ヒンジ間空隙の近傍に配設されていることを特徴とする原稿読取装置。
【請求項２】
前記ヒンジは、２個用いられている請求項１記載の原稿読取装置。
【請求項３】
前記アクチュエータは、前記ヒンジ間空隙の手前側に配設されると共に、前記ヒンジ間空隙の少なくとも一部を閉塞して、該閉塞により、手前側から奥に向かって前記ヒンジ間空隙を通過しようとする前記原稿に対して、前記ヒンジ間空隙に至る間口を狭めるような大きさで、形成されている請求項１又は２記載の原稿読取装置。
【請求項４】
前記アクチュエータは、前記ヒンジ間空隙に至る前記間口の左右方向の幅が、前記原稿の前記原稿載置板上における奥側の辺の長さよりも、短くなるような大きさで形成されている請求項３記載の原稿読取装置。
【請求項５】
前記アクチュエータは、前記ヒンジ間空隙に至る前記間口の左右方向の幅が、前記原稿載置板に載置可能な最も小さいサイズの、前記原稿の前記原稿載置板上における奥側の辺の長さよりも、短くなるような大きさで形成されている請求項４記載の原稿読取装置。
【請求項６】
前記原稿載置板の前記開状態における前記アクチュエータの突出は、該アクチュエータの基端に下方から受ける付勢部材の付勢により行われる請求項１〜５のいずれか１項に記載の原稿読取装置。
【請求項７】
前記原稿押圧板が前記開状態である間も、前記アクチュエータの先端は、前記原稿押圧板の下面に当接している請求項６記載の原稿読取装置。
【請求項８】
前記原稿押圧板開閉検知手段が前記原稿載置板の前記閉状態を検知中に複数の原稿の原稿読取を自動的に行うことが可能な原稿移動方式の原稿読取機構が、前記原稿押圧板の上に備えられている請求項１〜７のいずれか１項に記載の原稿読取装置。
【発明の詳細な説明】
【技術分野】
【０００１】
本発明は、紙片状の原稿等を光学的なスキャナで読取る原稿読取装置に関する。
【背景技術】
【０００２】
複写機等に使用される電子写真方式の画像形成装置では、一様な電位に帯電された感光体を画像情報に応じた光で露光して静電潜像を形成し、形成された静電潜像を現像剤であるトナーで現像して可視像化し、さらに、トナーにより可視像化されたこの画像を記録紙等に転写し、転写された記録紙上のトナーを定着装置で定着させて、堅牢な記録画像を形成する。
【０００３】
この静電潜像を形成する元の情報となる画像情報は、一般的に、紙片状の原稿を、光学的なスキャナを備えた原稿読取装置で読取ることで得られる。複写機等は、このような原稿読取装置と上記の画像形成装置とで構成されている。
【０００４】
このようにして構成されている複写機等にあっては、原稿の読取は、上述したように、原稿読取装置で行われる。この原稿読取装置では、手動により、ガラス製の透明な原稿載置板面上に原稿を一枚ずつ載置し、原稿載置板に対して開閉自在に設けられた原稿押圧板により、載置された原稿を押えることにより行われる。この原稿が原稿載置板の面上で原稿押圧板により押えられている間に、原稿載置板の下方に設けられた光学的なスキャナ機構により、原稿の読取面が読取られる。このような方式を、原稿固定方式と称する。
【０００５】
このような仕組の原稿読取装置は、上述したように、少なくとも、原稿載置板と原稿押圧板とを備えており、原稿載置板は、紙片状の原稿の読取面が上面に接面するように原稿が載置されるガラス等で構成された透明な板である。又、原稿押圧板は、原稿載置板に対して開閉可能で、該原稿載置板に対して閉じることにより、該原稿載置板上に載置された原稿を背面から押圧して、該原稿載置板の上面との間に原稿を挟持する機能を備えている。
【０００６】
この原稿読取装置では、原稿載置板の奥側辺と、原稿押圧板の奥側辺との間に、原稿押圧板の開閉の際に回動軸となる２個のヒンジが、相互に離間して設けられている。このヒンジが回動軸となって、原稿押圧板の開閉ができるのである。又、この原稿読取装置では、上記のヒンジ、原稿載置板の奥側辺、及び、原稿押圧板の奥側辺で囲まれたヒンジ間空隙が形成される。
【０００７】
このような原稿押圧板を備えた原稿読取装置は、原稿の読取が終了して、この原稿を取り出すために原稿押圧板を上にあげて開くと、負圧発生による真空吸着作用により、紙片状の原稿が原稿押圧板の裏面に吸着されて一旦持ち上げられる原稿舞上りが発生する。
【０００８】
この原稿舞上りが発生すると、原稿は、その後、自然落下により原稿載置板の上面に落下すると共に、この落下した原稿は、この原稿の原稿載置板上における奥側の辺が先頭を切って、原稿読取装置の手前側から奥に向かって、上記のヒンジ間空隙をすり抜け、原稿読取装置の外へ落下するというトラブルが発生している。
【０００９】
複写機等は、通常、部屋の壁際等に設置される場合が多く、このような場合には、原稿読取装置の外へ落下した原稿は、複写機等と壁との間の隙間に入り込むことになる。このように複写機等と壁との間に隙間に入り込んだ原稿を拾うには、複写機等を移動させる等の作業が必要であり、手間のかかる作業となっていた。
【００１０】
そこで、このようなトラブルを解消すべく、種々の提案がなされている（例えば、特許文献１参照）。特許文献１に記載の原稿読取装置では、原稿押圧板に上下に貫通する空隙を設けることにより、原稿読取後に原稿押圧板を上にあげて開いても、負圧が発生しないようにして、原稿舞上りを防止しようとするものである。
【特許文献１】特開平５−５３２１４号公報
【発明の開示】
【発明が解決しようとする課題】
【００１１】
上記の特許文献１に記載の原稿読取装置では、原稿押圧板に上下に貫通する空隙を設ける必要がある。しかし、この空隙が設けられた原稿押圧板の部分は、空隙であるため、原稿押圧板の下面が原稿載置板の上面に載置された原稿の背面を押圧する際、原稿の背面を十分押圧することができない。
【００１２】
このため、原稿の読取面が部分的に浮上るおそれがあり、原稿載置板の下方に設けられた光学的なスキャナ機構により原稿の読取を行う際に、光の焦点が原稿の読取面上からずれて、ピント不良の原稿読取が行われるおそれがあった。
【００１３】
又、特に、最近の複写機等は、上述した原稿固定方式における原稿押圧板の上に、複数の原稿を載置する原稿載置台を備えると共に、この原稿載置台に載置された複数の原稿を自動的に読取ることが可能な原稿移動方式の原稿読取機構を備えた原稿読取装置を用いている。又、原稿移動方式の原稿読取機構における原稿載置台の原稿載置容量は、読取速度の向上により増大している。
【００１４】
そのため、このような原稿移動方式の原稿読取機構を備えた原稿読取装置の原稿押圧板は、その重量が、ますます増大しており、このため、原稿押圧板を上にあげて開く際に発生する負圧発生による真空吸着作用は、ますます増大している。
【００１５】
そこで、この発明は、上記のような状況を改善するためになされたものであって、原稿押圧板を上にあげて開く際に、発生する負圧発生による真空吸着作用によって原稿舞上りが発生しても、自然落下した原稿が読取装置の外へ落下することを防止可能な原稿読取装置を提供しようとするものである。
【課題を解決するための手段】
【００１６】
本発明の原稿読取装置は、原稿載置板、原稿押圧板、及び、原稿押圧板開閉検知手段を少なくとも備えて構成される。この内、原稿載置板は、紙片状の原稿の読取面が上面に接面するように原稿が載置されるガラス等で構成された透明な板である。
【００１７】
原稿押圧板は、原稿載置板に対して開閉可能で、該原稿載置板に対して閉じることにより、該原稿載置板上に載置された原稿を背面から押圧して、該原稿載置板の上面との間に原稿を挟持する機能を備えている。又、原稿押圧板開閉検知手段は、アクチュエータを備えると共に、このアクチュエータを用いて、原稿押圧板の原稿載置板に対する開閉状態を検知する機能を備えている。
【００１８】
上記の原稿読取装置では、原稿載置板の奥側の辺（以下、原稿載置板の奥側辺と称する）と、原稿押圧板の奥側の辺（以下、原稿押圧板の奥側辺と称する）との間に、原稿押圧板の開閉の際に回動軸となる複数のヒンジが、相互に離間して設けられている。このヒンジは、一般的には２個である。又、原稿押圧板開閉検知手段のアクチュエータは、原稿押圧板が開状態であると、先端が、原稿載置板の上面位置よりも上に突出しており、原稿押圧板が閉状態となると、原稿押圧板の下面が先端に当接して後退する。
【００１９】
又、上記の原稿読取装置では、ヒンジ、原稿載置板の奥側辺、及び、原稿押圧板の奥側辺で囲まれて、空隙が形成される。この空隙をヒンジ間空隙と称する。このヒンジ間空隙は、該ヒンジ間空隙を、原稿の原稿載置板上における奥側の辺（以下、原稿の奥側辺と称する）が先頭を切るようにして、原稿が手前側から奥に向かって通過可能であるのに十分な大きさである。
【００２０】
この原稿読取装置における特徴は、アクチュエータが、ヒンジ間空隙の近傍に配設されていることである。即ち、この原稿読取装置では、ヒンジ間空隙は、該ヒンジ間空隙を、原稿の奥側辺が先頭を切るようにして、原稿が手前側から奥に向かって通過可能であるのに十分な大きさである。しかし、このようなヒンジ間空隙の近傍に、上記のアクチュエータが配設されているのである。
【００２１】
そこで、上記の原稿読取装置によれば、原稿の読取が終了してこの原稿を取り出すために原稿押圧板を上にあげて開く際に、負圧発生により発生する真空吸着作用によって原稿舞上りが発生し、自然落下した原稿は、ヒンジ間空隙を通過しようとするが、ヒンジ間空隙の近傍にアクチュエータが配設されているため、このアクチュエータにぶつかることになる。そのため、自然落下した原稿が、読取装置の外へ落下するのが阻止される。従って、原稿押圧板を上にあげて開く際に、原稿舞上りが発生しても、原稿が、原稿読取装置の外へ落下するのを防止することができる。
【００２２】
上記の原稿読取装置において、原稿舞上りが発生した場合に、自然落下した原稿がヒンジ間空隙を通過して原稿読取装置の外へ落下するのを、より確実に防止するために、次のように対処するのが好適である。
【００２３】
即ち、アクチュエータを、ヒンジ間空隙の手前側に配設すると共に、このアクチュエータを、次のようになるような大きさで形成する。即ち、ヒンジ間空隙の少なくとも一部を閉塞して、該閉塞により、手前側から奥に向かってヒンジ間空隙を通過しようとする原稿に対して、該ヒンジ間空隙に至る間口を狭めるような大きさで、アクチュエータを形成するのである。
【００２４】
上記の原稿読取装置によれば、原稿の読取が終了して、この原稿を取り出すために原稿押圧板を上にあげて開く際に、負圧発生により発生する真空吸着作用によって原稿舞上りが発生し、自然落下した原稿がヒンジ間空隙を通過しようとしても、ヒンジ間空隙に至る間口は、この原稿に対して狭められているので、この原稿は、上記の間口を通ることができず、原稿読取装置の外へ落下するのが阻止される。従って、原稿押圧板を上にあげて開く際に、原稿舞上りが発生しても、原稿が、原稿読取装置の外へ落下するのを防止することができる。
【００２５】
上記の原稿読取装置において、上記のヒンジ間空隙に至る間口の左右方向の幅は、具体的には、原稿の奥側辺の長さよりも、短くなるように、上記アクチュエータの大きさを設定するのが好ましい。つまり、上記のアクチュエータは、ヒンジ間空隙に至る間口の左右方向の幅が、原稿の奥側辺の長さよりも、短くなるような大きさで形成するのである。
【００２６】
さらに、上記における対象とする原稿を、上記の原稿読取装置の原稿載置板に載置可能な最も小さいサイズの原稿とする。即ち、上記のアクチュエータを、ヒンジ間空隙に至る間口の左右方向の幅が、原稿載置板に載置可能な最も小さいサイズの、原稿の奥側辺の長さよりも、短くなるような大きさで形成するのである。
【００２７】
このようにすることにより、上記の原稿読取装置で使用される原稿に対して、原稿押圧板を上にあげて開く際に、原稿舞上りが発生しても、原稿が、原稿読取装置の外へ落下するのを、さらに、確実に防止することができる。
【００２８】
又、上記の原稿読取装置において、原稿載置板の開状態における原稿押圧板開閉検知手段のアクチュエータの突出は、該アクチュエータの基端に下方から受ける、例えば、コイルバネのような付勢部材の付勢により行われるようにするのが一般的である。このようにすることにより、原稿押圧板開閉検知手段の機構をシンプルに構成することができる。
【００２９】
この原稿読取装置において、原稿押圧板が開状態である間も、原稿押圧板開閉検知手段のアクチュエータの先端は、原稿押圧板の下面に当接するようにしてもよい。このようにすることにより、原稿押圧板開閉検知手段のアクチュエータの先端は、常に、原稿押圧板の下面に当接しているので、原稿の読取が終了して原稿押圧板を上にあげて開く際に、原稿舞上りが発生しても、自然落下した原稿がアクチュエータの先端を乗り越えるようなことはない。
【００３０】
従って、自然落下した原稿は、原稿載置板に備えられたヒンジの相互間に形成されている空隙をすり抜けることができず、原稿が原稿読取装置の外へ落下するのを防止することができる。
【００３１】
又、上記の原稿読取装置を、次のような構成とするようにしてもよい。即ち、上記の原稿読取装置の原稿押圧板開閉検知手段が原稿載置板の閉状態を検知中に複数の原稿の原稿読取を自動的に行うことが可能な原稿移動方式の原稿読取機構を、原稿押圧板の上に備えるようにするのである。この原稿移動方式の原稿読取機構では、複数の原稿を載置する原稿載置台を備えると共に、この原稿載置台に載置された複数の原稿を自動的に読取る仕組である。
【００３２】
この原稿読取装置によれば、原稿移動方式で原稿の読取を行うことができるので、高速、且つ、大量の原稿の読取に対処することができる。特に、最近の複写機等では、読取速度の向上に対応して、原稿移動方式の原稿読取機構における原稿載置台の原稿載置容量も増大している。そのため、このような原稿移動方式の原稿読取機構を備えた原稿読取装置の原稿押圧板は、その重量が、ますます増大しており、このため、原稿押圧板を上にあげて開く際に発生する負圧発生による真空吸着作用が、ますます増大している。
【００３３】
しかし、上記の原稿読取装置では、原稿の読取が終了して原稿押圧板を上にあげて開く際に、原稿舞上りが発生しても、自然落下した原稿が、原稿載置板に備えられたヒンジの相互間に形成されている空隙をすり抜けることができないようにする対策が施されている。従って、原稿移動方式の原稿読取機構を備えた原稿読取装置においても、原稿が原稿読取装置の外へ落下するのを防止することができる。
【発明の効果】
【００３４】
上記の原稿読取装置によれば、原稿の読取が終了してこの原稿を取り出すために原稿押圧板を上にあげて開く際に、負圧発生により発生する真空吸着作用によって原稿舞上りが発生し、自然落下した原稿は、ヒンジ間空隙を通過しようとするが、ヒンジ間空隙の近傍にアクチュエータが配設されているため、このアクチュエータにぶつかることになる。そのため、自然落下した原稿が、読取装置の外へ落下するのが阻止される。
【００３５】
又、アクチュエータは、ヒンジ間空隙の手前側に配設されていると共に、このアクチュエータは、ヒンジ間空隙の少なくとも一部を閉塞して、該閉塞により、手前側から奥に向かってヒンジ間空隙を通過しようとする原稿に対して、該ヒンジ間空隙に至る間口を狭めるような大きさで、アクチュエータが形成されている。即ち、手前側から奥に向かってヒンジ間空隙を通過しようとする原稿に対して、該ヒンジ間空隙に至る間口は狭められている。そのため、上記の原稿舞上りが発生して自然落下した原稿がヒンジ間空隙を通過しようとしても、この間口を通ることができず、原稿が、読取装置の外へ落下するのが阻止される。
【００３６】
又、原稿押圧板開閉検知手段のアクチュエータの先端は、常に、原稿押圧板の下面に当接しているので、原稿の読取が終了して原稿押圧板を上にあげて開く際に、原稿舞上りが発生しても、自然落下した原稿がアクチュエータの先端を乗り越えるようなことはない。従って、自然落下した原稿は、原稿載置板に備えられたヒンジの相互間に形成されている空隙をすり抜けることができず、原稿が、読取装置の外へ落下するのが阻止される。
【発明を実施するための最良の形態】
【００３７】
次に、本発明の実施の形態における原稿読取装置について、図面を参照しながら説明する。本実施の形態における原稿読取装置は、複写機等に用いられるものであり、上部ユニットと下部ユニットとで構成されている。この上部ユニットと下部ユニットは、２個のヒンジを介して結合されており、このヒンジを回動軸として、上部ユニットを下部ユニットに対して回動させることができ、この回動により、上部ユニットを下部ユニットに対して開閉することができる。
【００３８】
図１は、本実施の形態における原稿読取装置１００の外観を示した外観図であり、この図１では、上部ユニット１０１を下部ユニット１０２に対して閉じた状態を表している。図２は、図１において、左右方向に沿って、原稿読取装置１００の中央を上下に切断した切断面図である。この図２の切断面図では、ハッチングは省略されている。この原稿読取装置１００が複写機等に用いられる場合は、下部ユニット１０２の下に、画像形成装置が備えられる。即ち、複写機等では、この原稿読取装置１００は、画像形成装置の上に搭載されて使用される。
【００３９】
図３は、本実施の形態における原稿読取装置１００の外観を示した外観図であり、この図３では、図１と異なり、上部ユニット１０１を下部ユニット１０２に対して開いた状態を表している。即ち、上部ユニット１０１は、下部ユニット１０２と２個のヒンジ２１で結合されており、上述したように、このヒンジ２１を回動軸として、上部ユニット１０１を下部ユニット１０２に対して回動させることにより、上部ユニット１０１を下部ユニット１０２に対して開閉することができる。
【００４０】
上記の原稿読取装置１００は、原稿の読取を行う機能を備えており、この原稿読取機能により、複写機等を構成する画像形成装置に、静電潜像を形成する元の情報となる画像情報を提供することができる。この原稿読取機能の方式としては、原稿固定方式と、原稿移動方式とが存在し、上記の原稿読取装置１００は、この両者を備えている。この両者の機能を実現する機構は、原稿固定方式と、原稿移動方式とにおいて、それぞれ、上部ユニット１０１と下部ユニット１０２とに分散して設けられている。
【００４１】
まず、上部ユニット１０１には、原稿載置台１、給紙ローラ（サバキローラ）２、ピックアップローラ２ａ、サバキ部材３、原稿搬送路４、原稿検出センサー５、レジストローラ６、原稿押え板８、光源９、搬送ローラ１３、原稿排出ローラ１４、トレイ切替レバー１５、原稿一時保持トレイ１６、原稿排紙トレイ１７、及び、原稿押圧板１９が備えられている。
【００４２】
又、下部ユニット１０２には、移動原稿スライド板７、反射ミラー１０、スルーレンズ１１、ＣＣＤ１２、原稿載置板１８、アクチュエータ２２、コイルバネ２３、バネ保持片２４、スイッチ２５、及び、アクチュエータ保持孔２７が備えられている。尚、この内の、アクチュエータ２２、コイルバネ２３、バネ保持片２４、及び、スイッチ２５により、上部ユニット開閉検知機構２６が構成されている。
【００４３】
上記のほか、原稿読取装置１００には、マイクロプロセッサやＩＣメモリー等で構成される図示されていない各種制御回路や、これらの制御回路に指示を出すための入力用の押しボタンスイッチやタッチパネル、或いは、表示用のＬＣＤ等が備えられている。
【００４４】
尚、上述したように、上部ユニット１０１は、下部ユニット１０２と２個のヒンジ２１で結合されている。この２個のヒンジ２１は、上部ユニット１０１の下面の奥側の辺と、下部ユニット１０２の上面の奥側の辺との間に架設されている。又、上部ユニット１０１の下面には原稿押圧板１９が形成され、下部ユニット１０２の上面には原稿載置板１８が形成されている。そこで、この状態は、前述したように、原稿載置板１８の奥側辺と、原稿押圧板１９の奥側辺との間に、原稿押圧板１９の開閉の際に回動軸となる２個のヒンジ２１，２１が、相互に離間して設けられているといえる。
【００４５】
又、上述したように、２個のヒンジ２１，２１は、上部ユニット１０１の下面の奥側の辺と、下部ユニット１０２の上面の奥側の辺との間に架設されている。そこで、２個のヒンジ２１，２１、原稿載置板１８の奥側辺、及び、原稿押圧板１９の奥側辺で囲まれて、空隙が形成される。この空隙を、ヒンジ間空隙２８と称する。
【００４６】
次に、上部ユニット開閉検知機構２６について説明する。上部ユニット開閉検知機構２６は、上部ユニット１０１が下部ユニット１０２に対して閉じているか否かを検知する機能を備えている。図４は、この上部ユニット開閉検知機構２６の構成を示した構成図であり、図４（ａ）は、上部ユニット１０１が下部ユニット１０２に対して開いている状態を表し、図４（ｂ）は、上部ユニット１０１が下部ユニット１０２に対して閉じている状態を表している。又、図５（ａ）は、アクチュエータ２２の正面図であり、図５（ｂ）は、側面図である。
【００４７】
アクチュエータ２２は、アクチュエータ本体部２２ａ、つば部２２ｂ、及び、スイッチ操作片２２ｃで構成されている。この内、アクチュエータ本体部２２ａは、左右に長い形状であり、アクチュエータ保持孔２７に、挿入されている。このアクチュエータ保持孔２７は、原稿載置板１８の奥側辺に近接すると共に、この原稿載置板１８の奥側辺に沿って細長く形成されている。又、原稿載置板１８の奥側辺は、ヒンジ間空隙２８を形成する一辺でもあることから、アクチュエータ２２は、ヒンジ間空隙２８の近傍に配設されているといえる。
【００４８】
つば部２２ｂは、アクチュエータ本体部２２ａの下端に設けられ、アクチュエータ本体部２２ａよりも前後に出っ張っている。又、スイッチ操作片２２ｃは細長い棒状で、つば部２２ｂの底面の中心から下方に垂設されており、周りに、コイルバネ２３が装着される。アクチュエータ２２は、このコイルバネ２３とバネ保持片２４により、上方に向かって付勢されており、上部ユニット１０１が下部ユニット１０２に対して開いている状態では、常に、アクチュエータ本体部２２ａは、原稿載置板１８の上面から上に突出して、アクチュエータ２２の先端が上部ユニット１０１の下面を構成する原稿押圧板１９の下面に当接している。
【００４９】
この状態では、スイッチ操作片２２ｃの下端がスイッチ２５と離れており、スイッチ２５は、ＯＦＦ状態であるが、上部ユニット１０１が下部ユニット１０２に対して閉じた状態となると、アクチュエータ２２はコイルバネ２３に抗して押し下げられ、スイッチ操作片２２ｃの下端がスイッチ２５を押圧するので、スイッチ２５が、ＯＮ状態となる。このスイッチ２５のＯＮ、ＯＦＦにより、上部ユニット１０１が下部ユニット１０２に対して閉じているか否かの検知が行われる。
【００５０】
上述したように、アクチュエータ２２は、左右に長い形状であり、ヒンジ間空隙２８の近傍に配設されている。これは、図３において、後述するように、原稿固定方式の場合に、原稿２０を取り出すために上部ユニット１０１を開いたときに、原稿舞上りが発生し、自然落下した原稿２０の奥側辺が、ヒンジ間空隙２８をすり抜けて、このヒンジ間空隙２８から原稿読取装置１００の外側に落下するのを防止するためである。即ち、ヒンジ間空隙２８の一部を閉塞して、この閉塞により、手前側から奥に向かってヒンジ間空隙２８を通過しようとする原稿２０に対して、ヒンジ間空隙２８に至る間口を狭めるためである。そのため、アクチュエータ２２におけるアクチュエータ本体部２２ａの左右方向の長さは、上記の観点から決定する必要がある。
【００５１】
そこで、図３において、自然落下して、手前側から奥に向かってヒンジ間空隙２８を通過しようとする原稿２０の奥側辺に対して、このヒンジ間空隙２８に至る間口を狭めるような大きさで、アクチュエータ２２を形成する。図３におけるＡ、又は、Ｂは、この間口の例である。この間口の左右方向の幅、つまり、Ａ、又は、Ｂの長さが、原稿読取装置１００で使用される原稿２０の奥側辺の長さよりも短くなるように、アクチュエータ本体部２２ａの左右方向の長さ（図３におけるＣ）を決定する。アクチュエータ２２は、このようにして形成され、配設されている。
【００５２】
次に、上記の原稿読取装置１００における原稿移動方式の原稿読取機能について、説明する。この原稿移動方式では、上部ユニット１０１は下部ユニット１０２に対して閉じた状態でなければならない。上部ユニット１０１は下部ユニット１０２に対して閉じているか否かは、上述したように、上部ユニット開閉検知機構２６で検知される。
【００５３】
そこで、上部ユニット１０１が下部ユニット１０２に対して閉じている状態で、まず、原稿載置台１に、複数枚の原稿２０が載置される。この原稿載置台１に載置された原稿２０に対して、給紙ローラ（サバキローラ）２の回転により、原稿載置台１に載置された一番上の原稿２０に、ピックアップローラ２ａが接触し、このピックアップローラ２ａの回転力によって、原稿載置台１に載置された一番上の原稿２０が給紙される。
【００５４】
原稿２０が給紙され、この原稿２０の先端が給紙ローラ２、及び、サバキ部材３に到達すると、給紙ローラ２とサバキ部材３の加圧力によって、搬送されてきた原稿２０を捌き、原稿搬送路４に１枚の原稿２０が搬送される。この原稿２０は、原稿搬送路４に配置された原稿検出センサー５によって、原稿２０の搬送が確認される。すると、原稿搬送路４における原稿搬送方向の下流側に配置されているレジストローラ６により、この原稿２０は、この原稿２０の先端がレジストローラ６に到達するタイミングで一旦停止する。このレジストローラ６の停止中に、給紙ローラ２から原稿搬送路４を介して搬送されたときの原稿２０の斜め搬送の修正や、原稿２０の先端における搬送タイミングを合致させるための原稿２０の先端調整を行う。
【００５５】
先端調整が行われた原稿は、レジストローラ６の読取りタイミングに合致するタイミングで回転を再開し、原稿２０を移動原稿スライド板７上に搬送する。この移動原稿スライド板７上に搬送された原稿２０は、透明なプラテンガラスと称される移動原稿スライド板７と原稿押さえ板８の間を通過する。この通過の際に、透明な移動原稿スライド板７を介して、原稿２０の読取面が、下方から光源９で照射され、原稿２０の読取面に記載されている原稿２０の画像情報を読取る。
【００５６】
即ち、原稿２０の読取面に照射され、この読取面で反射された光が、複数の反射ミラー１０、スルーレンズ１１等を介して、画像情報読取素子であるＣＣＤ１２に入力されることにより、原稿２０の読取面に記載されている画像情報が読取られる。このようにして画像情報が読取られた原稿２０は、搬送ローラ１３、及び、原稿排出ローラ１４の回転によって原稿排紙トレイ１７上、又は、原稿一時保持トレイ１６に排出される。
【００５７】
この原稿一時保持トレイ１６は、原稿２０の表裏が読取面である場合、表面のみならず裏面の読取面に記載されている画像情報を読取る場合に用いられる。この原稿一時保持トレイ１６を用いるか用いないかは、トレイ切替レバー１５の向きによって定まる。原稿２０の表裏を読取る場合には、原稿一時保持トレイ１６に排出された原稿２０は、表裏が反転された状態で、再度、移動原稿スライド板７上と原稿押さえ板８の間を通過すると共に、原稿排紙トレイ１７に排出される。尚、片面のみの読取の場合は、画像情報が読取られた原稿２０は、搬送ローラ１３、及び、原稿排出ローラ１４の回転によって原稿排紙トレイ１７上に排出される。
【００５８】
上記の原稿移動方式では、上述したように、上部ユニット１０１は下部ユニット１０２に対して閉じた状態でなければならない。これは、原稿載置台１から搬送された原稿２０は、移動原稿スライド板７と原稿押さえ板８の間を通過し、この通過の際に、透明な移動原稿スライド板７を介して、原稿２０の読取面が、下方から光源９で照射され、原稿２０の読取面に記載されている原稿２０の画像情報が読取られるが、上部ユニット１０１が下部ユニット１０２に対して閉じた状態でないと、この読取が正常に行えないからである。
【００５９】
次に、上記の原稿読取装置１００における原稿固定方式の原稿読取機能について、説明する。原稿固定方式では、まず、上部ユニット１０１を下部ユニット１０２に対して開いた状態とする。そして、手動により、透明なガラス等で形成されている原稿載置板１８の上面上に原稿２０を一枚載置する。その上で、上部ユニット１０１を下部ユニット１０２に対して閉じた状態とする。
【００６０】
この上部ユニット１０１が下部ユニット１０２に対して閉じた状態では、上部ユニット１０１の下面を構成する原稿押圧板１９が、原稿載置板１８の上面上に載置されている原稿２０を、この原稿２０の背面から押圧する。その結果、原稿押圧板１９の下面と原稿載置板１８の上面との間に原稿２０が挟持される。
【００６１】
この挟持された原稿２０の読取面に対して、光源９の光が複数の反射ミラー１０の移動に応じて照射され、読取面から反射された光が、原稿移動方式と同様に、複数の反射ミラー１０、スルーレンズ１１等を介して、画像情報読取素子であるＣＣＤ１２に入力されて、画像情報の読取が行われる。
【００６２】
上記のようにして画像情報の読取が終了すると、原稿２０を取り出すために、上部ユニット１０１を下部ユニット１０２に対してヒンジ２１を軸として上方に回動させ、上部ユニット１０１を下部ユニット１０２に対して開いた状態とする。
【００６３】
すると、前述したように、負圧発生による真空吸着作用により、紙片状の原稿２０が原稿押圧板１９の裏面に吸着されて一旦持ち上げられる原稿舞上りが発生する。この原稿舞上りが発生すると、原稿２０は、その後、自然落下により原稿載置板１８の上面に落下する。
【００６４】
上述したように、アクチュエータ２２は、ヒンジ間空隙２８の近傍に配設されている。又、上部ユニット１０１を下部ユニット１０２に対して開いた状態でも、アクチュエータ本体部２２ａの先端は、上部ユニット１０１の下面を構成する原稿押圧板１９の下面に当接している。
【００６５】
そこで、自然落下した原稿２０は、ヒンジ間空隙２８に入り込む前に、アクチュエータ２２にぶつかることになる。又、アクチュエータ２２の先端が原稿押圧板１９の下面に当接しているので、自然落下した原稿２０がアクチュエータ２２の先端を乗り越えることもない。
【００６６】
又、手前側から奥に向かってヒンジ間空隙２８を通過しようとする原稿２０に対して、このヒンジ間空隙２８に至る間口を狭めるような大きさで、アクチュエータ２２が形成されている。具体的には、ヒンジ間空隙２８に至る間口の左右方向の幅は、原稿２０の奥側辺の長さよりも短くなるように、上記アクチュエータ２２の大きさが設定されて、アクチュエータ２２が形成され、配設されている。
【００６７】
そのため、自然落下した原稿２０がヒンジ間空隙２８を通過しようとしても、このヒンジ間空隙２８に至る間口が、原稿２０に対して狭められているので、この原稿２０は、上記の間口を通ることができず、そのため、ヒンジ間空隙２８を通過することができないことから、原稿２０が、原稿読取装置１００の外へ落下するのが阻止される。従って、原稿押圧板１９を上にあげて開く際に、原稿舞上りが発生しても、原稿２０が、原稿読取装置１００の外へ落下するのを防止することができる。
【００６８】
又、上記の原稿読取装置１００は、原稿読取機構に、原稿移動方式の機能を実現する要素も備えている。そのため、上記の原稿読取装置１００によれば、原稿移動方式で原稿の読取を行うことができるので、高速、且つ、大量の原稿の読取に対処することができる。
【００６９】
この原稿移動方式の機能を有する原稿読取装置１００を備えた最近の複写機等では、読取速度の向上に対応して、原稿移動方式の原稿読取機構における原稿載置台１の原稿載置容量も増大している。そのため、このような原稿移動方式の原稿読取機構を備えた原稿読取装置１００の原稿押圧板１９は、その重量が、ますます増大しており、このため、原稿押圧板１９を上にあげて開く際に発生する負圧発生による真空吸着作用が、ますます増大している。しかし、上記の原稿読取装置１００では、上述したような対策が施されているので、原稿移動方式の機能を有する原稿読取装置１００であっても、原稿が原稿読取装置１００の外へ落下するのを防止することができる。
【００７０】
上記の原稿読取装置１００において、さらに、上記における対象とする原稿２０を、上記の原稿読取装置１００の原稿載置板１８に載置可能な最も小さいサイズの原稿２０とするのが好適である。即ち、上記のアクチュエータ２２を、ヒンジ間空隙２８に至る間口の左右方向の幅が、原稿載置板１８に載置可能な最も小さいサイズの、原稿２０の奥側辺の長さよりも、短くなるような大きさで形成するのである。
【００７１】
このようにすることにより、上記の原稿読取装置１００で使用される原稿２０に対して、原稿押圧板１９を上にあげて開く際に、原稿舞上りが発生しても、原稿２０が、原稿読取装置１００の外へ落下するのを、さらに、確実に防止することができる。
【図面の簡単な説明】
【００７２】
【図１】本実施の形態における原稿読取装置において、上部ユニットを下部ユニットに対して閉じた状態を表した外観図である。
【図２】図１において、左右方向に沿って、原稿読取装置の中央を上下に切断した切断面図である。
【図３】本実施の形態における原稿読取装置において、上部ユニットを下部ユニットに対して開いた状態を表した外観図である。
【図４】本実施の形態における原稿読取装置において、（ａ）は、上部ユニットが下部ユニットに対して開いている状態における上部ユニット開閉検知機構の構成図、（ｂ）は、上部ユニットが下部ユニットに対して閉じている状態における上部ユニット開閉検知機構の構成図である。
【図５】（ａ）は本実施の形態における原稿読取装置におけるアクチュエータ本体部の正面図、（ｂ）は側面図である。
【符号の説明】
【００７３】
１  原稿載置台
２  給紙ローラ（サバキローラ）
２ａ  ピックアップローラ
３  サバキ部材
４  原稿搬送路
５  原稿検出センサー
６  レジストローラ
７  移動原稿スライド板
８  原稿押え板
９  光源
１０  反射ミラー
１１  スルーレンズ
１２  ＣＣＤ
１３  搬送ローラ
１４  原稿排出ローラ
１５  トレイ切替レバー
１６  原稿一時保持トレイ
１７  原稿排紙トレイ
１８  原稿載置板
１９  原稿押圧板
２０  原稿
２１  ヒンジ
２２  アクチュエータ
２２ａ  アクチュエータ本体部
２２ｂ  つば部
２２ｃ  スイッチ操作片
２３  コイルバネ
２４  バネ保持片
２５  スイッチ
２６  上部ユニット開閉検知機構
２７  アクチュエータ保持孔
２８  ヒンジ間空隙
１００  原稿読取装置
１０１  上部ユニット
１０２  下部ユニット
【図１】
2008176058.tif 000003
【図２】
2008176058.tif 000004
【図３】
2008176058.tif 000005
【図４】
2008176058.tif 000006
【図５】
2008176058.tif 000007